(57)【要約】【課題】移動局ＰＳと基地局ＣＳの間の接続性を向上する。【解決手段】発呼要求を行おうとする移動局ＰＳは、オープンサーチによって通信可能な基地局をサーチし、複数の基地局ＣＳ１〜ＣＳ３が検出されたときに、検出されたこれらの基地局ＣＳ１〜ＣＳ３に対してリンク割当要求を行う。更に、移動局ＰＳは、基地局ＣＳ１〜ＣＳ３から割り当てられたリンクの内で使用可能なリンク１，２を用いて、同期バーストの送受信、通信モードの設定、呼設定等の接続シーケンスを行う。これにより、移動局ＰＳと複数の基地局ＣＳ１，ＣＳ２との間で、並行して接続シーケンスが行われるので、例えば接続シーケンス中に電波状態が悪化して基地局ＣＳ１との通信が途絶えても、他の基地局ＣＳ２との間で接続シーケンスを続行することができる。【選択図】図１
2007166273.tif 000002
【特許請求の範囲】
【請求項１】
第１の通信エリアを有する第１の基地局及び該第１の通信エリアに隣接する第２の通信エリアを有する第２の基地局に対する移動局の接続方法において、
前記第１及び第２の基地局それぞれに対し、同時期にリンク確立要求を送信し、
前記リンク確立要求を受けた前記第１及び第２の基地局それぞれから、同時期にリンク割り当てを受けることを特徴とする無線電話の接続方法。
【発明の詳細な説明】
【技術分野】
【０００１】
本発明は、例えば第２世代コードレス電話等の無線電話システムにおける基地局(Cell  Station)と移動局(Personal  Station)との間の接続方法に関するものである。
【背景技術】
【０００２】
【特許文献１】特開平８−３０７９２８号公報
【０００３】
図２は、上記特許文献１に記載された従来の携帯電話システムの概念図である。
この携帯電話システムは、公衆網に接続された交換機１０と、この交換機１０に接続された複数の基地局ＣＳ１，ＣＳ２，ＣＳ３を有している。各基地局ＣＳ１，ＣＳ２，ＣＳ３は、それぞれの無線エリアＡＲＥＡ１，ＡＲＥＡ２，ＡＲＥＡ３を有しており、各自のエリア内に存在する移動局ＰＳとの間で通信ができるようになっている。なお、無線エリアＡＲＥＡ１，ＡＲＥＡ２，ＡＲＥＡ３は、通信不能地帯が無くすと共に、移動局ＰＳの移動によって通信の途絶を防ぐために、相互にオーバーラップするように構成されている。また、交換機１０には、各基地局ＣＳや移動局ＰＳの状態を管理するためのデータベース１１が設けられている。
【０００４】
この携帯電話システムでは、移動局ＰＳが発呼要求を行う場合、各基地局ＣＳ１，ＣＳ２，ＣＳ３から定期的に送信されているビーコン信号を監視し、受信信号レベルが一番高い基地局を選択し、例えば基地局ＣＳ１にリンク確立要求を行う。移動局ＰＳからのリンク確立要求を受信した基地局ＣＳ１は、その旨を交換機１０に伝える。
【０００５】
一方、移動局ＰＳから基地局ＣＳ１に送信したリンク確立要求は、他の基地局ＣＳ２，ＣＳ３でも受信される。基地局ＣＳ２，ＣＳ３は、自局宛てのリンク確立要求ではないが、移動局ＰＳからのリンク確立要求を交換機１０に伝える。
【０００６】
交換機１０は、基地局ＣＳ１，ＣＳ２，ＣＳ３から、同一の移動局ＰＳからのリンク確立要求を受け取ると、データベース１１を参照し、所定の選択基準に基づいてリンクチャネルの割り当てを行う基地局を選択する。そして、選択された基地局は、移動局ＰＳとの間でリンク確立処理を行う。
【０００７】
これにより、例えば交換機１０における選択基準として、無線エリア内に存在する移動局の数が少ない基地局を優先的に選択するような基準を設定しておけば、１つの基地局に通信が集中することが防止され、安定した通信が可能になる。
【発明の開示】
【発明が解決しようとする課題】
【０００８】
しかしながら、前記携帯電話システムでは、移動局ＰＳは、交換機１０によって指定された基地局ＣＳ２との間でリンク確立処理を行うことになる。このため、リンク確立処理や、その後の接続手順において無線上の問題（例えば、電波状態の悪化等）が発生したときに、再びリンク確立要求を行う必要があり、手戻りが生ずるという課題があった。本発明は、移動局ＰＳと基地局ＣＳの間の接続性の向上を目的としたものである。
【課題を解決するための手段】
【０００９】
本発明の無線電話の接続方法は、第１の通信エリアを有する第１の基地局及び該第１の通信エリアに隣接する第２の通信エリアを有する第２の基地局に対する移動局の接続方法において、前記第１及び第２の基地局それぞれに対し、同時期にリンク確立要求を送信し、前記リンク確立要求を受けた前記第１及び第２の基地局それぞれから、同時期にリンク割り当てを受けることを特徴としている。
【発明の効果】
【００１０】
本発明では、発呼要求を行おうとする移動局は、通信可能な無線基地局をサーチし、複数の無線基地局が検出されたときに、検出された複数の無線基地局に対してリンク割当要求を行う。これにより、移動局と複数の無線基地局との間で、並行してリンク割り当てが行われるので、接続シーケンス中に例えば電波状態が悪化して通信を継続できない無線基地局が発生しても、移動局は他の無線基地局との間で接続シーケンスを続行することができる。これにより、移動局と無線基地局の間の接続性を向上することができるという効果がある。
【発明を実施するための最良の形態】
【００１１】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１２】
図１は、本発明の実施例を示す接続シーケンス図であり、図３は、図１の送受信スロットの割当例を示す図である。
【００１３】
これらの接続シーケンス及び送受信スロットの割り当ては、例えば図２中の移動局ＰＳが、発呼要求を行う場合を示している。
【００１４】
まず、移動局ＰＳは、通信可能な基地局を探すためのオープンサーチを行う。オープンサーチは、携帯電話システムに割り当てられた特定の周波数による共通の制御チャネルＣＣを受信して、基地局ＣＳから一定周期（例えば、１．２ｓ）で送信されてくる制御信号（ビーコン）を受信するものである。なお、各基地局ＣＳは、制御チャネルＣＣを使用して時分割で割り当てられたタイミングで制御信号を送信するようにしている。
【００１５】
制御信号は、例えば、５ｍｓを１フレームとし、１フレームを更に８個のタイムスロット（ＴＳ）に分割した構成となっている。従って、各タイムスロットは、６２５μｓである。前半の４個のタイムスロットは、基地局ＣＳから移動局ＰＳに対する（下り方向の）送信に割り当てられ、後半の４個のタイムスロットは、移動局ＰＳから基地局ＣＳに対する（上り方向の）送信に割り当てられている。更に、下り方向と上り方向のそれぞれ４個のタイムスロットＴＳ１〜ＴＳ４は、同じ番号のタイムスロットを１対として使用するように決められている。
【００１６】
図２中の移動局ＰＳは、無線エリアＡＲＥＡ１，ＡＲＥＡ２，ＡＲＥＡ３のオーバーラップした箇所に存在するので、基地局ＣＳ１，ＣＳ２，ＣＳ３からの制御信号を受信することができる。
【００１７】
移動局ＰＳは、基地局ＣＳ１の制御信号に対して、リンク確立要求１を送信する。例えば、基地局ＣＳ１の制御信号が、この基地局ＣＳ１に割り当てられたフレームのタイムスロットＴＳ１で送られてきた場合には、移動局ＰＳは、２．５ｍｓ後の上り方向のタイムスロットＴＳ１を使用してリンク確立要求１を送信する。なお、制御信号としてタイムスロットＴＳ２が使用されたときには、２．５ｍｓ後の上り方向のタイムスロットＴＳ２を使用してリンク確立要求１を送信することはいうまでもない。移動局ＰＳは、基地局ＣＳ２，ＣＳ３からの制御信号に対しても、それぞれ同様に、リンク確立要求２，３を送信する。
【００１８】
基地局ＣＳ１は、移動局ＰＳから送られてきたリンク確立要求１に対して、例えば、通信チャネルＣＨ１のタイムスロットＴＳ１を割り当て、リンク割当１（ＣＨ１，ＴＳ１）を送信する。ここで、通信チャネルＣＨは、制御チャネルＣＣとは別の周波数が割り当てられており、５ｍｓ毎のフレーム構成となっている。１フレームは、制御チャネルＣＣと同様に、８個のタイムスロットに分割され、前半の４個のタイムスロットは、基地局ＣＳから移動局ＰＳに対する（下り方向の）送信に割り当てられ、後半の４個のタイムスロットは、移動局ＰＳから基地局ＣＳに対する（上り方向の）送信に割り当てられている。また、前半と後半の４個のタイムスロットＴＳ１〜ＴＳ４は、同じ番号のタイムスロットを１対で使用するように決められていることも、制御チャネルＣＣと同様である。但し、通信チャネルＣＨでは、各フレームの同一タイムスロットは、１つの移動局ＰＳに割り当てられる。従って、１つの通信チャネルＣＨを同時に使用できる移動局ＰＳの数は、最大でも４である。
【００１９】
同様に、基地局ＣＳ２は、移動局ＰＳから送られてきたリンク確立要求２に対して、例えば、通信チャネルＣＨ２のタイムスロットＴＳ２を割り当て、リンク割当２（ＣＨ２，ＴＳ２）を送信する。また、基地局ＣＳ３は、移動局ＰＳから送られてきたリンク確立要求３に対して、例えば、通信チャネルＣＨ３のタイムスロットＴＳ１を割り当て、リンク割当３（ＣＨ３，ＴＳ１）を送信する。
【００２０】
移動局ＰＳは、基地局ＣＳ１〜ＣＳ３から送られてきたリンク割当１〜３の中で、通信可能なものを選択する。この場合、リンク割当１，３は、割り当てられたタイムスロットが同じＴＳ１となっているので、同時に使用することは不可能である。従って、所定の基準に従って、一方を採用し他方を無視する。この基準としては、例えば、受信信号レベル、先着順、基地局毎に予め設定した優先順位等がある。ここでは、移動局ＰＳは、基地局ＣＳ１，ＣＳ２を選択し、基地局ＣＳ３を無視するものとする。
【００２１】
次に、移動局ＰＳは、基地局ＣＳ１から割り当てられたリンク（通信チャネルＣＨ１のタイムスロットＴＳ１）を使用して通信同期確立のための同期バーストを送信する。更に、移動局ＰＳは、基地局ＣＳ２から割り当てられたリンク（通信チャネルＣＨ２のタイムスロットＴＳ２）を使用して通信同期確立のための同期バーストを送信する。これに対して、基地局ＣＳ１、ＣＳ２から、それぞれ割り当てられたリンクを介して同期確立のための同期バーストが送り返される。
【００２２】
以下、移動局ＰＳと基地局ＣＳ１，ＣＳ２との間で、通信のための一連の接続シーケンス（例えば、通信モード設定要求、通信モード確認応答、呼設定要求、呼設定応答等）が並行して続行される。そして、呼設定が完了すると、移動局ＰＳと基地局ＣＳ１の間、及び移動局ＰＳと基地局ＣＳ２の間での通話等の通信が開始される。この場合、移動局ＰＳから基地局ＣＳ１，ＣＳ２に送信される通信の内容は、同一である。
【００２３】
このように、本実施例の接続シーケンスでは、移動局ＰＳが複数の基地局ＣＳとの間で並行して接続シーケンスを遂行するようにしている。これにより、移動局ＰＳは、接続シーケンス中に電波状態が悪化して通信を継続することができない基地局ＣＳが発生しても、他の基地局ＣＳとの間で接続シーケンスを続行することができる。従って、本実施例の接続シーケンスは、無線上の問題があっても手戻りが発生せず、移動局ＰＳと基地局ＣＳの間の接続性を向上することができるという利点がある。
【００２４】
なお、本発明は、上記実施例に限定されず、種々の変形が可能である。この変形例としては、例えば、次のようなものがある。
（１）  制御チャネルＣＣや通信チャネルＣＨのフレーム形式は、図３に例示したものに限定されない。
（２）  接続シーケンスは、図１に例示したものに限定されない。
（３）  図１の接続シーケンスでは、移動局ＰＳは、２つの基地局ＣＳ１，ＣＳ２との間で呼設定を完了しているが、呼設定要求の直前で基地局ＣＳ１またはＣＳ２のいずれか１方との接続シーケンスを中止するようにしても良い。
【図面の簡単な説明】
【００２５】
【図１】本発明の実施例を示す接続シーケンス図である。
【図２】従来の携帯電話システムの概念図である。
【図３】図１の送受信スロットの割当例を示す図である。
【符号の説明】
【００２６】
ＣＳ１〜ＣＳ３    基地局
ＰＳ    移動局
ＣＣ    制御チャネル
ＣＨ１，ＣＨ２    通信チャネル
【図１】
2007166273.tif 000003
【図２】
2007166273.tif 000004
【図３】
2007166273.tif 000005